(57)【要約】【課題】  着用者が対戦時に対峙した対戦者を見据える正面側の視界が広く確保できる剣道用面を提供する。【解決手段】  複数の横金を備えた剣道用面金であって、前記複数の横金が、着用者の目の高さ付近に配置された一対の第１横金と、前記各第１横金と隣り合う第２横金と、前記一対の第１横金及び前記一対の第２横金を除く他の横金であって、互いに隣り合う一対の第３横金とを含み、前記一対の第１横金の間隔の最大値、及び、前記一対の第１横金のうちで少なくとも一方の第１横金及び当該第１横金と隣り合う前記第２横金の中央部の間隔が、前記一対の第３横金の間隔の最大値よりも広くなっている。【選択図】図１
2019180711.tif 000002
【特許請求の範囲】
【請求項１】
複数の横金を備えた剣道用面金であって、
前記複数の横金が、
着用者の目の高さ付近に配置された一対の第１横金と、
前記各第１横金と隣り合う第２横金と、
前記一対の第１横金及び前記一対の第２横金を除く他の横金であって、互いに隣り合う一対の第３横金とを含み、
前記一対の第１横金の間隔の最大値、及び、前記一対の第１横金のうちで少なくとも一方の第１横金及び当該第１横金と隣り合う前記第２横金の中央部の間隔が、前記一対の第３横金の間隔の最大値よりも広くなっていることを特徴とする剣道用面金。
【請求項２】
前記一対の第１横金のうちで少なくとも一方の第１横金及び当該第１横金と隣り合う前記第２横金の間隔の最大値が、前記一対の第１横金の間隔の最大値以下になっている請求項１記載の剣道用面金。
【請求項３】
前記一対の第１横金のうちで少なくとも一方の第１横金及び当該第１横金と隣り合う前記第２横金の中央部の間隔が、その両端部の間隔よりも広くなっている請求項１又は２のいずれかに記載の剣道用面金。
【請求項４】
前記複数の横金の中央に沿って設置された縦金をさらに備え、
前記一対の第１横金のうちで少なくとも一方の第１横金及び当該第１横金と隣り合う前記第２横金の間隔が、その両端部から前記縦金に向かって徐々に広がっている請求項１乃至３のいずれかに記載の剣道用面金。
【請求項５】
前記一対の第１横金が平行に配置されていると共に、前記複数の横金のうちで前記一対の第１横金及び一対の第２横金を除く他の横金が平行に配置されており、
前記他の横金であって互いに隣り合う一対の横金の間隔が、前記一対の第１横金の間隔よりも狭くなっている請求項１乃至４のいずれかに記載の剣道用面金。
【請求項６】
前記請求項１乃至５のいずれかに記載の剣道用面金を備えた剣道用面。
【発明の詳細な説明】
【技術分野】
【０００１】
本発明は、剣道用面金及び当該剣道用面金を備えた剣道用面に関するものである。
【背景技術】
【０００２】
剣道用面としては、着用者の顔面を覆うように複数の横金を平行に並べて配置し、その複数の横金のうちで着用者の目の高さに配置される一対の横金（以下、第１横金ともいう。）の間隔を少し広くして物見を形成した構造のものが一般的に使用されている。
【０００３】
前記剣道用面は、物見によって着用者の視界がある程度広く確保されているが、さらに着用者の視界を広く確保するための工夫が凝らされた剣道用面が多数開発されており、例えば、特許文献１には、物見を形成する一対の第１横金を含むいくつかの横金を他の横金よりも左右に延ばした構造のものが開示されている。
【０００４】
ところが、前記特許文献１に開示された剣道用面においては、左側及び右側の視界は広がるものの、着用者が対戦時に対峙した対戦者を見据える正面側の視界の広さは何らかわらず、対戦時に大きな効果が得られるものではなかった。
【先行技術文献】
【特許文献】
【０００５】
【特許文献１】実開平７−１７２７５号公報
【発明の概要】
【発明が解決しようとする課題】
【０００６】
そこで、本発明は、着用者が対戦時に対峙した対戦者を見据える正面側の視界が広く確保できる剣道用面を提供することを主な課題とするものである。
【課題を解決するための手段】
【０００７】
すなわち、本発明に係る剣道用面金は、複数の横金を備えた剣道用面金であって、前記複数の横金が、着用者の目の高さ付近に配置された一対の第１横金と、前記各第１横金と隣り合う第２横金と、前記一対の第１横金及び前記一対の第２横金を除く他の隣り合う一対の第３横金とを含み、前記一対の第１横金の間隔の最大値、及び、前記一対の第１横金のうちで少なくとも一方の第１横金及び当該第１横金と隣り合う前記第２横金の中央部の間隔が、前記一対の第３横金の間隔の最大値よりも広くなっていることを特徴とするものである。
【０００８】
このようなものであれば、着用者の目の高さ付近に配置された一対の第１横金の間隔のみならず、一対の第１横金のうちで少なくとも一方の第１横金及び当該第１横金と隣り合う第２横金の中央部の間隔が広くなり、対戦時に対戦者を見据える正面側の視界が広くなる。なお、着用者の目とその目の正面側に配置される第１横金及び第２横金との間には、僅かな距離しかないため、第１横金及び第２横金の中央部の間隔を僅かに広げるだけで正面側の視界が格段に広くなる。なお、隣り合う横金（第１横金、第２横金、第３横金を含む）の間隔とは、剣道用面金を正面側から目視した場合における間隔を示している。
【０００９】
なお、一般的な剣道用面金においては、着用者の目の高さ付近に配置された隣り合う一対の横金の隙間を、他の隣り合う横金の隙間よりも僅かに広くし、その隙間を所謂物見としている。そして、物見の間隔は、着用者の安全が確保されるように、竹刀の太さ等を考慮して設定されている。そこで、前記一対の第１横金の隙間を物見とした場合、前記一対の第１横金のうちで少なくとも一方の第１横金及び当該第１横金と隣り合う前記第２横金の間隔の最大値を、前記一対の第１横金の間隔の最大値以下にすればよい。
【００１０】
このようなものであれば、第１横金及び第２横金の間隔が、一対の第１横金の間隔以下に保たれて安全性が確保される。
【００１１】
また、前記一対の第１横金のうちで少なくとも一方の第１横金及び当該第１横金と隣り合う前記第２横金の中央部の間隔が、その両端部の間隔よりも広くなっているものであってもよく、より具体的には、前記複数の横金の中央に沿って設置された縦金をさらに備え、前記一対の第１横金のうちで少なくとも一方の第１横金及び当該第１横金と隣り合う前記第２横金の間隔が、その両端部から前記縦金に向かって徐々に広がっているものであってもよい。
【００１２】
このようなものであれば、正面側の視界にあまり関与しない第１横金及び第２横金の両端側の間隔を狭く保つことができ、当該正面側の視界を広く確保しつつ、安全性の低下を最低限に抑えることができる。
【００１３】
なお、前記一対の第１横金が平行に配置されていると共に、前記複数の横金のうちで前記一対の第１横金及び一対の第２横金を除く他の横金が平行に配置されており、前記他の横金であって互いに隣り合う一対の横金の間隔が、前記一対の第１横金の間隔よりも狭くなっているものであってもよい。
【００１４】
このようなものであれば、伝統的な剣道用面金のデザインを大きく変更することなく、正面側の視界を広く確保できる。
【００１５】
また、本発明に係る剣道用面は、前記いずれかの剣道用面金を備えるものである。
【発明の効果】
【００１６】
このような構成の剣道用面金を備えた剣道用面によれば、着用者が対戦時に対峙した対戦者を見据える正面側の視界が広く確保できるようになる。
【図面の簡単な説明】
【００１７】
【図１】実施形態１に係る剣道用面を正面側から目視した状態を示す模式図である。
【図２】同実施形態に係る剣道用面を側面側から目視した状態を示す模式図である。
【図３】実施形態２に係る剣道用面金を正面側から目視した状態を示す模式図である。
【発明を実施するための形態】
【００１８】
以下に、本発明に係る剣道用面金及び当該剣道用面金を備えた剣道用面を図面に基づいて説明する。
【００１９】
＜実施形態１＞
本実施形態に係る剣道用面１００は、図１及び図２に示すように、着用者の顔面を保護する面金１０（剣道用面金）と、面金１０に取り付けられ、着用者の頭頂、側頭及び肩を保護する面布団２０と、面金１０に取り付けられ、着用者の首（喉）を保護する垂れ３０と、を備えている。
【００２０】
前記面金１０は、楕円形状の枠体１１と、枠体１１に対して左右方向へ架け渡された複数の横金１２と、枠体１１に対して上下方向へ架け渡された縦金１３と、を備えている。なお、縦金１３は、各横金１２の中央に沿って延びている。そして、各横金１２及び縦金１３は、その交差する部分において互いに接続されている。
【００２１】
前記複数の横金１２は、正面側に向かってＵ字状に湾曲した棒状のものであり、枠体１１に対して上下方向に並べて配置されている。そして、複数の横金１２は、着用者の目ｅの高さ付近に配置された一対の第１横金１２ａを含んでおり、この一対の第１横金１２ａの隙間が所謂物見Ｘになる。なお、本実施形態における一対の第１横金１２ａは、互いに平行に配置されており、左右方向に沿って等間隔に配置されている。
【００２２】
また、前記複数の横金１２は、各第１横金１２ａと隣り合う第２横金１２ｂを含んでいる。なお、第２横金１２ｂは、第１横金１２ａに対して物見Ｘと反対側で隣り合っている。よって、物見Ｘに対して同方向側（上方向側又は下方向側）に設置される第１横金１２ａ及び第２横金１２ｂは、この順番で物見Ｘから遠ざかるように連続して配置されている。
【００２３】
また、前記複数の横金１２は、一対の第１横金１２ａ及び一対の第２横金１２ｂを除く他の隣り合う一対の第３横金１２ｃを含んでいる。なお、本実施形態における一対の第３横金１２ｃは、互いに平行に配置されており、左右方向に沿って等間隔に配置されている。また、本実施形態における一対の第３横金１２ｃは、一方（上方）の第１横金１２ａから当該第１横金１２ａと隣り合う第２横金１２ｂを除いて最も近い横金１２を一方の第３横金１２ｃとしている。すなわち、物見Ｘから数えて３番目及び四番目の横金を一対の第３横金１２ｃとしている。
【００２４】
そして、一対の第１横金１２ａの間隔Ａは、一対の第３横金１２ｃの間隔Ｂよりも広くなっている。より具体的には、本実施形態における複数の横金１２のうちで、一対の第１横金１２ａ及び一対の第２横金１２ｂを除くと共に、一対の第３横金１２ｃを含む他の横金１２´が平行に配置されている。そして、当該他の横金１２´における隣り合う横金１２´の間隔が、一対の第１横金１２ａの間隔Ａよりも狭くなっている。すなわち、本実施形態の面金１０は、一対の第２横金１２ｂを除く他の横金が従来の一般的な面金と同様に配置されている。
【００２５】
次に、互いに隣り合う第１横金１２ａ及び第２横金１２ｂの間隔について詳述する。
【００２６】
第１横金１２ａ及び第２横金１２ｂの間隔は、その両端側から中央の縦金１３に向かって徐々に広がっている。よって、第１横金１２ａ及び第２横金１２ｂの間隔は、その中央部で最大になっていると共に、その両端部で最小になっている。
【００２７】
そして、第１横金１２ａ及び第２横金１２ｂの中央の間隔Ｃは、一対の第３横金１２ｃの間隔Ｂよりも広くなっており、また、一対の第１横金１２ａの間隔Ａ以下になっている。すなわち、第１横金１２ａ及び第２横金１２ｂの間隔の最大値は、一対の第３横金１２ｃの間隔Ｂよりも広くなっており、また、一対の第１横金１２ａの間隔Ａ以下になっている。なお、本実施形態においては、第１横金１２ａ及び第２横金１２ｂの中央の間隔Ｃは、一対の第１横金１２ａの間隔Ａと同一になっている。
【００２８】
さらに、第１横金１２ａ及び第２横金１２ｂの両端側の間隔Ｄは、一対の第３横金１２ｃの間隔Ｂ以上になっており、また、一対の第１横金１２ａの間隔Ａ以下になっている。すなわち、第１横金１２ａ及び第２横金１２ｂの間隔の最小値は、一対の第３横金１２ｃの間隔Ｂ以上になっており、また、一対の第１横金１２ａの間隔Ａ以下になっている。なお、本実施形態においては、第１横金１２ａ及び第２横金１２ｂの両端側の間隔は、一対の第３横金１２ｃの間隔Ｂと同一になっている。
【００２９】
前記面布団２０は、面金１０の枠体１１の下側を除く部分に沿って取り付けられるものである。具体的には、衝撃を緩衝するクッション材に対し、表地及び裏地を縫合して一体にしたものである。
【００３０】
前記垂れ３０は、面金１０の枠体１１の下側に取り付けられるものである。具体的には、面布団２０と同様に、衝撃を緩衝するクッション材に対し、表地及び裏地を縫合して一体にしたものである。
【００３１】
このような構成であれば、第１横金１２ａ及び第２横金１２ｂの中央部の間隔Ｃを、一対の第３横金１２ｃの間隔Ｂの最大値よりも広くしたので、着用者が対戦者を見据える正面側の視界が上下方向に広がる。
【００３２】
また、第１横金１２ａ及び第２横金１２ｂの中央部の間隔Ｃを、物見Ｘを形成する一対の第１横金１２ａの間隔Ａの最大値以下にしたので、第１横金１２ａ及び第２横金１２ｂの間隔が、物見Ｘの間隔以下に維持され、必要最低限の安全性を確保することができる。
【００３３】
さらに、第１横金１２ａ及び第２横金１２ｂの間隔を、その両端から中央の縦金１３に向かって徐々に広げ、かつ、第１横金１２ａ及び第２横金１２ｂの両端の間隔Ｄを、一対の第３横金１２ｃの間隔の最大値と同一にしたので、正面側の視界に殆ど関与しない第１横金１２ａ及び第２横金１２ｂの両端側の間隔Ｄが狭くなり、第１横金１２ａ及び第２横金１２ｂの両端の間隔Ｃを広げたことに伴う安全性の低下を最小限に止めることができる。
【００３４】
＜実施形態２＞
本実施形態は、前記実施形態１に係る剣道用面金１０の変形例である。なお、本実施形態に係る剣道用面金１０は、前記実施形態１に係る剣道用面金１０と、互いに隣り合う第１横金１２ａ及び第２横金１２ｂの間隔が異なっており、その他の構造は同一になっている。
【００３５】
詳述すると、本実施形態に係る剣道用面金１０は、図３に示すように、互いに隣り合う第１横金１２ａ及び第２横金１２ｂが、平行に配置されており、左右方向に沿って等間隔に配置されている。そして、第１横金１２ａ及び第２横金１２ｂの間隔Ｃ´は、一対の第３横金１２ｃの間隔Ｂよりも広くなっていると共に、一対の第１横金１２ａの間隔Ａよりも狭くなっている。
【００３６】
このような構成であれば、互いに隣り合う第１横金１２ａ及び第２横金１２ｂの両端側の間隔が広がるため、前記実施形態１の態様に比べて若干安全性が低下するが、当該隙間が物見Ｘの間隔よりも狭く維持されるため、必要最低限の安全性を維持しながら、正面側の視界を広げることができる。
【００３７】
＜その他の実施形態＞
前記実施形態においては、一方の第１横金１２ａ及び当該一方の第１横金１２ａと隣り合う第２横金１２ｂの中央部の間隔Ｃ、及び、他方の第１横金１２ａ及び当該他方の第１横金１２ａと隣り合う第２横金１２ｂの中央部の間隔Ｃの両方を、一対の第３横金１２ｃの間隔の最大値よりも広くしているが、いずれか一方の間隔Ｃのみを、一対の第３横金１２ｃの間隔Ｂの最大値よりも広くしてもよい。
【００３８】
その他、本発明は前記各実施形態に限られず、その趣旨を逸脱しない範囲で種々の変形が可能であるのは言うまでもない。
【符号の説明】
【００３９】
１００  剣道用面
１０  面金
１１  枠体
１２  横金
１２´  他の横金
１２ａ  第１横金
１２ｂ  第２横金
１２ｃ  第３横金
１３  縦金
２０  面布団
３０  垂れ
【図１】
2019180711.tif 000003
【図２】
2019180711.tif 000004
【図３】
2019180711.tif 000005